(57)【要約】      （修正有）【課題】ゴミや埃等の内部筐体への侵入を防ぎ、光学系移動ユニットが備える各ミラーに対するゴミや埃等の付着を防止する。【解決手段】止めネジ１８により、第１の光学系支持部材４０を内部筐体７に対して取り付け、第１の光学系移動ユニット４を画像読取装置本体１ａに固定する。同様に、止めネジ１９により、第２の光学系支持部材５０を内部筐体７に対して取り付け、第２の光学系移動ユニット５を画像読取装置本体１ａに固定する。ここで、外装カバー２に形成された挿通孔に対して着脱自在なカバー部材７０、７１を設け、挿通孔を塞ぐ構成としている。画像読取装置１を使用する際には、カバー部材７０、７１を所定方向に回動する。カバー部材７０と止めネジ１８、カバー部材７１と止めネジ１９が、Ｚ方向に一体となって移動する。【選択図】図１２
2005123881.tif 000002
【特許請求の範囲】
【請求項１】
原稿からの反射光を更に反射させるミラーを保持する光学系移動ユニットと、装置本体の外装カバーと、装置本体の内部筐体とを備えるとともに、前記光学系移動ユニットを固定するための固定部材を前記光学系移動ユニット、外装カバー、及び内部筐体の各々に形成された孔に挿通し、前記固定部材を前記光学系移動ユニットに取り付けることにより、前記光学系移動ユニットを画像読取装置本体に固定する画像読取装置において、
前記外装カバーには、前記外装カバーに形成された孔を塞ぐためのカバー部材が設けられており、前記カバー部材と前記固定部材が一体となって所定方向に移動することを特徴とする画像読取装置。
【請求項２】
前記カバー部材を前記外装カバーに形成された孔に挿入して回動させることにより、前記カバー部材が前記外装カバーに形成された孔に対して着脱自在となることを特徴とする請求項１に記載の画像読取装置。
【請求項３】
前記カバー部材の回動に連動して前記固定部材が回動することにより、前記カバー部材と前記固定部材が一体となって所定方向に移動することを特徴とする請求項２に記載の画像読取装置。
【請求項４】
前記固定部材には溝部が形成されているとともに、前記カバー部材には突出部が形成されており、前記溝部に前記突出部が嵌合することにより、前記カバー部材の回動に連動して前記固定部材が回動可能となることを特徴とする請求項３に記載の画像読取装置。
【請求項５】
前記カバー部材には、カバー部材本体に回動自在に支持された回動部材が設けられており、前記回動部材の回動に連動して前記固定部材が回動することにより、前記カバー部材と前記固定部材が一体となって所定方向に移動することを特徴とする請求項２に記載の画像読取装置。
【請求項６】
前記固定部材には溝部が形成されているとともに、前記回動部材には突出部が形成されており、前記溝部に前記突出部が嵌合することにより、前記回動部材の回動に連動して前記固定部材が回動可能となることを特徴とする請求項５に記載の画像読取装置。
【請求項７】
前記カバー部材には、前記カバー部材の前記所定方向への移動を規制するための突起部が設けられていることを特徴とする請求項５または請求項６に記載の画像読取装置。
【発明の詳細な説明】
【技術分野】
【０００１】
本発明は、スキャナとして単体で用いられたり、複写機やファクシミリ等に搭載されたりして、原稿の画像を読み取る画像読取装置に関する。
【背景技術】
【０００２】
一般に、画像読取装置は、原稿に対して光を照射し、その反射光を複数のミラーで反射させながら集光レンズを通してＣＣＤ等の読取デバイスに導き入れ、この読取デバイスで原稿の画像を電気信号として取得する（読み取る）ようになっている。
【０００３】
ここで、この様な画像読取装置においては、装置を輸送する際に画像読取装置内に設けられた光学系移動ユニットが激しく揺さぶられたり、振動したりして変形・破損する恐れがある。
【０００４】
そこで、上記不都合を回避すべく、従来より、上記光学系移動ユニットを装置本体に固定するための構造を有する画像読取装置が提案されている。この画像読取装置においては、光学系移動ユニットの移動方向と略平行となるように、外装カバー、及び内部筐体に形成された挿通孔に対して、光学系移動ユニットを固定するための固定部材を装置本体の外部より挿通するとともに、光学系移動ユニットの移動方向と略平行となるように光学系移動ユニットに形成されたネジ孔に上記固定部材をねじ込み、当該固定部材の締付力により光学系移動ユニットを装置本体に固定するようになっている（例えば、特許文献１参照）。
【特許文献１】特公平７−１０４５５８公報（第２−３頁、第２−４図）
【発明の開示】
【発明が解決しようとする課題】
【０００５】
しかし、上記従来の画像読取装置においては、輸送時における光学系移動ユニットの移動を規制し、光学系移動ユニット及びその周辺の部品の破損や変形を防止することはできるものの、上述のごとく、外装カバー、及び内部筐体に形成された挿通孔は、光学系移動ユニットの移動方向と略平行となるように形成されているため、固定部材を取り外して光学系移動ユニットの固定状態を解除し、画像読取装置を使用する場合において、上記挿通孔を経由して、外部からゴミや埃等が内部筐体内に非常に入りやすくなってしまい、結果として、光学系移動ユニットが備える各ミラーに当該ゴミや埃等が付着し、画像の劣化が発生するという不都合が生じていた。
【０００６】
そこで、本発明は、上記の問題に鑑みてなされたものであり、ゴミや埃等の内部筐体への侵入を防ぎ、光学系移動ユニットが備える各ミラーに対するゴミや埃等の付着を防止できるとともに、画像の劣化を防止することができる画像読取装置を提供することを目的とする。
【課題を解決するための手段】
【０００７】
上記目的を達成するため、請求項１に記載の画像読取装置は、原稿からの反射光を更に反射させるミラーを保持する光学系移動ユニットと、装置本体の外装カバーと、装置本体の内部筐体とを備えるとともに、光学系移動ユニットを固定するための固定部材を光学系移動ユニット、外装カバー、及び内部筐体の各々に形成された孔に挿通し、固定部材を光学系移動ユニットに取り付けることにより、光学系移動ユニットを画像読取装置本体に固定する画像読取装置において、外装カバーには、外装カバーに形成された孔を塞ぐためのカバー部材が設けられており、カバー部材と固定部材が一体となって所定方向に移動することを特徴とする。
【０００８】
又、請求項２に記載の画像読取装置は、カバー部材を外装カバーに形成された孔に挿入して回動させることにより、カバー部材が外装カバーに形成された孔に対して着脱自在となることを特徴とする。
【０００９】
又、請求項３に記載の画像読取装置は、カバー部材の回動に連動して固定部材が回動することにより、カバー部材と固定部材が一体となって所定方向に移動することを特徴とする。
【００１０】
又、請求項４に記載の画像読取装置は、固定部材には溝部が形成されているとともに、カバー部材には突出部が形成されており、溝部に突出部が嵌合することにより、カバー部材の回動に連動して固定部材が回動可能となることを特徴とする。
【００１１】
又、請求項５に記載の画像読取装置は、カバー部材には、カバー部材本体に回動自在に支持された回動部材が設けられており、回動部材の回動に連動して固定部材が回動することにより、カバー部材と固定部材が一体となって所定方向に移動することを特徴とする。
【００１２】
又、請求項６に記載の画像読取装置は、固定部材には溝部が形成されているとともに、回動部材には突出部が形成されており、溝部に突出部が嵌合することにより、回動部材の回動に連動して固定部材が回動可能となることを特徴とする。
【００１３】
又、請求項７に記載の画像読取装置は、カバー部材には、カバー部材の所定方向への移動を規制するための突起部が設けられていることを特徴とする。
【発明の効果】
【００１４】
本発明によれば、外装カバーに形成された孔を塞ぐためのカバー部材を外装カバーに設ける構成としているため、ゴミや埃等が外装カバー内や内部筐体内に入るのを完全に防止することができ、光学移動ユニットが備えるミラーに対する当該ゴミや埃等の付着を防止することが可能になるため、結果として、画像の劣化を確実に防止することができるようになる。
【００１５】
又、本発明によれば、カバー部材と固定部材が一体となって所定方向に移動するため、簡単な構成で、光学系移動ユニットに取り付けられた固定部材を取り外すことが可能になる。
【００１６】
又、本発明によれば、カバー部材には、カバー部材本体に回動自在に支持された回動部材が設けられており、回動部材の回動に連動して固定部材が回動することにより、カバー部材と固定部材が一体となって所定方向に移動するため、簡単な構成で、光学系移動ユニットに取り付けられた固定部材を取り外すことが可能になるとともに、固定部材を取り外す際に、カバー部材の全体が回動するのを回避することができ、結果として、カバー部材と固定部材が、各々、一体となって移動している途中において、カバー部材が、外装カバーに形成された孔から取り外されてしまうという不都合を防止することができる。
【発明を実施するための最良の形態】
【００１７】
以下に、本発明の画像読取装置の実施形態について、図面を参照しながら詳述する。図１は、本発明の第１の実施形態に係る画像読取装置の駆動機構を示す縦断面図であり、図２は、本発明の第１の実施形態に係る画像読取装置の光学上の構成を示す縦断面図である。
【００１８】
図１、及び図２に示すように、画像読取装置１は、金属板で成形された外装カバー２から外形が構成され、左側板２ａ、右側板２ｂを有している。又、当該外装カバー２の内側には内部筐体７が設けられており、当該外装カバー２と内部筐体７により、画像読取装置本体１ａが構成されている。外装カバー２の上面には、原稿が載置されるコンタクトガラス３を備えている。また、外装カバー２内（又は、内部筐体７内）には、コンタクトガラス３に平行（即ち、矢印Ｘの方向）に往復移動可能となるように、相互に独立した第１、第２の光学系移動ユニット４、５が支持されている。
【００１９】
ここで先ず、光学上の詳細な構成について説明する。図１、及び図２に示すように、第１の光学系移動ユニット４は、各種部品を保持する第１の光学系支持部材４０を有しており、この第１の光学系支持部材４０が、コンタクトガラス３に載置された原稿に光を照射する光源であるランプ４１と、このランプ４１からの光を効率よく原稿に照射させるための反射板４２と、原稿からの反射光（以下、「原稿反射光」と記すことがある）を第２の光学系ユニット５に向けて更に反射させる第１のミラー４３とを備えている。他方、第２の光学系移動ユニット５は、各種部品を保持する第２の光学系支持部材５０を有しており、この第２の光学系支持部材５０が、第１のミラー４３からの原稿反射光を更に反射させて後述の画像読取ユニット６に導く第２、第３のミラー５１、５２を備えてなる。なお、図２において、原稿反射光の光路を一点鎖線で示す。
【００２０】
また、図２に示す様に、外装カバー２内（又は、内部筐体７内）の中央よりやや右側板２ｂ寄りには、上記した原稿反射光の光路の上流側から順に集光レンズ６０、及び読取デバイスであるＣＣＤ基板６１を有する画像読取ユニット６が配設されている。
【００２１】
この画像読取ユニット６は、集光レンズ６０及びＣＣＤ基板６１を含む各種部品が取り付けられる取付台６３を保持する基台６２を有しており、この基台６２が外装カバー２の底板上にネジ等で固定されている。基台６２の上面には、取付台６３がビス等で固定されており、この取付台６３の上面には、集光レンズ６０が固定された不図示のレンズ固定板と、ＣＣＤ基板６１が固定されたＣＣＤ固定板６４を連結したＣＣＤ連結板６５とが取り付けられている。
【００２２】
但し、これらのレンズ固定板とＣＣＤ連結板６５は、集光レンズ６０で集光された原稿反射光のＣＣＤ基板６１に対する焦点距離が一律になるように、それぞれ原稿反射光の光軸方向に調整が可能になっている。また、原稿反射光の光軸に対するＣＣＤ基板６１の高さ調整用として、ＣＣＤ固定板６４を貫通してＣＣＤ連結板６５に螺合する高さ調整ネジ６６と、この高さ調整ネジ６６を挿通させつつＣＣＤ固定板６４とＣＣＤ連結板６５との間に介装された圧縮コイルバネ６７とが設けられており、高さ調整ネジ６６のねじ込み度合いにより、ＣＣＤ固定板６４が圧縮コイルバネ６７の弾発力を受けながらＣＣＤ連結板６５に対して上下移動することで、結果としてＣＣＤ基板６１の高さが調整されるようになっている。尚、ＣＣＤ固定板６４には、ＣＣＤ基板６１を取り囲むＣＣＤカバー６８がガスケット６９を介して固定されている。
【００２３】
次に、第１、第２の光学系移動ユニット４、５の往復移動を駆動するための詳細な構成について説明する。第１、第２の光学系移動ユニット４、５は、原稿全域に亘って走査すべく往復移動せられるわけであるが、その際、第１の光学系移動ユニット４は、第２の光学系移動ユニット５に対して常時２倍の速度で往復移動するようになっており、これにより原稿反射光のＣＣＤ基板６１に対する焦点距離、すなわち原稿反射光の光路長が常に一定にされている。このような往復移動は、以下に示す構成で達成できる。
【００２４】
図１、図２に示すように、画像読取ユニット６の後方（右側板２ｂ寄り）には、回転可能に支持された回転軸８が配設されている。この回転軸８の近傍には、第１、第２の光学系移動ユニット４、５の往復移動を司るワイヤ９が巻き付けられたドラム８０が、同軸状で一体的に固定されている。
【００２５】
更に、回転軸８の一端部には、ジョイントプーリ８１が連結されており、このジョイントプーリ８１に張架されたベルト１１によって駆動モータ等の駆動源から駆動が伝達される。即ち、外装カバー２の後側（図１では紙面の奥側）の外方には、回転軸８の回転の駆動源となる駆動モータ１０が配設されるとともに、この駆動モータ１０の出力軸には、回転軸８に連結されたジョイントプーリ８１との間で、ベルト１１が張架されており、このベルト１１によって駆動モータ１０の回転出力が回転軸８に伝達される。なお、ジョイントプーリ８１、及びベルト１１に代えて、歯車で駆動力伝達媒体を構成する場合もある。
【００２６】
また、外装カバー２内の左方側から順に、内部筐体７の左側板７ａに突設された第１の掛け具１２、外装カバー２の前後両側板（不図示）に軸支された第１のプーリ１３、第２の光学系移動枠体５０に軸支された第２のプーリ１４、画像読取ユニット６の基台６２に突設された第２の掛け具１５、及び右側板２ｂに突設されて軸支された第３のプーリ１６が設けられている。更に、第１、第２の光学系移動ユニット４、５各々の往復移動をガイドするガイドレール１７が、コンタクトガラス３と平行に延在するよう設けられている。
【００２７】
そして、実際に第１、第２の光学系移動ユニット４、５の往復移動を司るワイヤ９は、図１に示すように、第１の掛け具１２に一端が固定され、一旦第２のプーリ１４に掛けられた後、第１のプーリ１３に掛けられ、更に回転軸８のドラム８０に複数回巻き付けられた後、第３のプーリ１６に掛けられて戻り、次いで、第１の光学系移動枠体４０が固着され、再び第２のプーリ１４に掛けられて、第２の掛け具１５に他端が固定され、張設されてなる。
【００２８】
この様な構成のもと、駆動モータ１０の出力軸が正回転又は逆回転することにより、回転軸８とともにドラム８０が正回転又は逆回転し、これに伴ってワイヤ９が移動せしめられ、第１、第２の光学系移動ユニット４、５が、所定の速度比を維持しながら往復移動する。これにより、原稿全域に亘って、第１、第２の光学系移動ユニット４、５が原稿面と平行に往復移動し、原稿の画像が読み取られる構成となっている。
【００２９】
尚、上記した画像読取装置１は、実際に走査する光学系移動ユニットとは別体に、読取デバイスであるＣＣＤ基板６１（集光レンズ６０も含む）が外装カバー２に固定された、いわゆる別体型のものであるが、ＣＣＤ基板６１が光学系移動ユニットに固定されてこれと一体的に走査する、いわゆる一体型のものもある。
【００３０】
次に、本発明の第１の実施形態に係る画像読取装置における光学系移動ユニットの固定について、図面を参照しながら詳述する。
【００３１】
本実施形態においては、第１、第２の光学系移動ユニット４、５を固定する際の固定部材として止めネジ１８、１９を用い、第１、第２の光学系移動ユニット４、５を固定する際に、当該止めネジ１８、１９を第１、第２の光学系移動ユニット４、５の往復移動方向（図中のＸ方向）に平行な方向から取り付けるが、外装カバー２に形成された挿通孔３０、３１に対して着脱自在なカバー部材７０、７１を設けるとともに、カバー部材７０、７１と止めネジ１８、１９が一体となって所定方向に移動する点に特徴がある。この特徴に関して、以下に詳細に説明する。
【００３２】
図３、図４は、本発明の第１の実施形態に係る画像読取装置の固定機構を示す縦断面図である。図３に示す様に、外装カバー２の左側板２ａには、挿通孔３０、３１が形成されており、内部筐体７の左側板７ａには、挿通孔３２、３３が形成されている。又、止めネジ１８、１９は、各々ネジ部１８ａ、１９ａを有するとともに、上記止めネジ１８、１９には、回転用の溝部（即ち、スリワリ）１８ｂ、１９ｂが形成されている。
【００３３】
又、第１の光学系支持部材４０には、内部筐体７と当接する折曲部４１が設けられており、当該折曲部４１には、挿通孔３２に対応する位置にネジ孔４２が形成されている。又、同様に、第２の光学系支持部材５０には、内部筐体７と当接する折曲部５１が設けられており、当該折曲部５１には、挿通孔３３に対応する位置にネジ孔５２が形成されている。
【００３４】
そして、第１、第２の光学系移動ユニット４、５を固定する際には、まず、外装カバー２の外部から、止めネジ１８を挿通孔３０、３２に挿通するとともに、止めネジ１９を挿通孔３１、３３に挿通する。次いで、第１の光学系支持部材４０に形成されたネジ孔４２にネジ部１８ａを螺合させることにより、止めネジ１８をネジ孔４２に挿通させ、第１の光学系支持部材４０を内部筐体７に対して取り付けることにより、第１の光学系移動ユニット４を画像読取装置本体１ａに固定するとともに、第２の光学系支持部材５０に形成されたネジ孔５２にネジ部１９ａを螺合させることにより、止めネジ１９をネジ孔５２に挿通させ、第２の光学系支持部材５０を内部筐体７に対して取り付けることにより、第２の光学系移動ユニット５を画像読取装置本体１ａに固定する構成となっている。第１、第２の光学系移動ユニット４、５を画像読取装置本体１ａに固定した状態を図４に示す。
【００３５】
以上の構成により、輸送時における第１、第２の光学系移動ユニット４、５の移動が規制され、第１、第２の光学系移動ユニット４、５及びその周辺の部品の破壊、更には、第１、第２の光学系移動ユニット４、５内部の投影光学系の光軸のズレ等を抑制することが可能になる。
【００３６】
ここで、本実施形態においては、図５、図６に示す様に、外装カバー２に形成された挿通孔３０、３１を塞ぐためのカバー部材７０、７１を外装カバー２に設ける構成としている。このカバー部材７０、７１は、図７に示す様に、カバー部材本体７０ａ、７１ａと、つば部７０ｂ、７１ｂを有しており、例えば、ＡＢＳ等の樹脂により形成されている。又、図５、図６に示す様に、カバー部材７０、７１には、突出部７０ｃ、７１ｃが形成されている。
【００３７】
図８〜図１１は、カバー部材７０、７１の着脱機構を説明するための図であり、図８は、カバー部材７０、７１の正面図、図９は、外装カバー２に形成された挿通孔３０、３１の形状を説明するための概略図、図１０は、カバー部材７０、７１を挿通孔３０、３１に挿入した状態を示す図、図１１は、カバー部材７０、７１が挿通孔３０、３１に装着された状態を示す図である。尚、図５において示したカバー部材７０、７１は、図８に示すカバー部材７０、７１のＡ−Ａ断面を示すものである。
【００３８】
カバー部材７０、７１を、各々、挿通孔３０、３１に装着する際には、まず、図５に示す様に、外装カバー２の左側板２ａ側から、カバー部材７０、７１を、各々、挿通孔３０、３１に挿入する。この際、カバー部材７０、７１は、図８に示す様に、つば部７０ｂ、７１ｂが左右方向に配置された状態で挿通孔３０、３１に挿入される。より具体的には、図９に示す様に、外装カバー２に形成された挿通孔３０、３１には、外装カバー２の左側板２ａの一部により形成された突起部３０ａ、３１ａが設けられており（図５、図６参照）、挿通孔３０、３１のうち、当該突起部３０ａ、３１ａの左右部分３０ｂ、３１ｂにつば部７０ｂ、７１ｂを挿入するとともに、挿通孔３０、３１の中央部分３０ｃ、３１ｃにカバー部材本体７０ａ、７１ａを挿入する（図１０参照）。又、この際、図５、図１０に示す様に、カバー部材７０、７１に設けられた突出部７０ｃ、７１ｃの長手方向が、第１、第２の光学系移動ユニット４、５の往復移動方向（即ち、Ｘ方向）対して略垂直の方向となるように、カバー部材７０、７１が挿通孔３０、３１に挿入される。
【００３９】
次に、図１０に示した状態から、カバー部材本体７０ａ、７１ａを図中の矢印方向へ９０°回動させる。そうすると、図１１に示す様に、つば部７０ｂ、７１ｂと突起部３０ａ、３１ａが係合するため、カバー部材７０、７１が、各々、挿通孔３０、３１に係止され、結果として、カバー部材７０、７１が挿通孔３０、３１に対して装着されることになる。又、この際、突出部７０ｃ、７１ｃも、図１０に示した状態から９０°回動することになる。尚、図１１に示した、カバー部材７０、７１が挿通孔３０、３１に対して装着された状態のＢ−Ｂ断面を含む画像読取装置の縦断面図を図６に示す。
【００４０】
以上より、この構成によれば、止めネジ１８、１９により第１、第２の光学系移動ユニット４、５を装置本体１ａに固定し、画像読取装置１を輸送する場合において、カバー部材７０、７１が挿通孔３０、３１に対して装着されることにより、カバー部材７０、７１が挿通孔３０、３１を塞ぐ構成としているため、ゴミや埃等が外部カバー２内や内部筐体７内に入るのを完全に防止することができる。従って、第１、第２の光学系移動ユニット４、５が備える第１、第２、及び第３ミラー４３，５１、５２に対する当該ゴミや埃等の付着を防止することが可能になるため、結果として、画像の劣化を確実に防止することができるようになる。
【００４１】
次に、止めネジ１８、１９の取り外し機構についての説明を行う。図１２〜図１４は、本発明の第１の実施形態に係る画像読取装置における止めネジの取り外し機構を説明するための縦断面図である。
【００４２】
止めネジ１８、１９を取り外すことにより、第１、第２の光学系移動ユニット４、５の固定状態を解除し、画像読取装置１を使用する際には、まず図６に示す様に、上述のカバー部材７０、７１が挿通孔３０、３１に対して装着された状態から、カバー部材７０、７１を矢印Ｙの方向に押圧する。そうすると、図１２に示す様に、止めネジ１８、１９に形成された回転用の溝部１８ｂ、１９ｂに、カバー部材７０、７１に形成された突出部７０ｃ、７１ｃが嵌合した状態になる。
【００４３】
この状態で、カバー部材７０、７１を図１０（又は、図１１）に示した矢印の方向に回動すると、当該カバー部材７０、７１の回動に連動して止めネジ１８、１９が回動し、カバー部材７０と止めネジ１８、及び、カバー部材７１と止めネジ１９が、各々、図１２に示したＺ方向に一体となって移動し、最終的には、図１３に示す状態になる。この場合、カバー部材７０、７１は、図６において説明した状態（即ち、つば部７０ｂ、７１ｂと突起部３０ａ、３１ａが係合し、挿通孔３０、３１に対して装着された状態）となっている。
【００４４】
次に、装着したカバー部材７０、７１を挿通孔３０、３１から取り外す必要があるが、この場合、上述の、カバー部材７０、７１を挿通孔３０、３１に対して装着する際に説明した操作と逆の操作を行えば良い。即ち、図１３において、カバー部材７０、７１は、上述のごとく、図６において説明した状態となっているため、図１１に示した状態から、カバー部材本体７０ａ、７１ａを図中の矢印方向へ９０°回動させる。そうすると、図１０において説明した状態、即ち、つば部７０ｂ、７１ｂと突起部３０ａ、３１ａの係合が解除された状態になるため、カバー部材７０、７１を挿通孔３０、３１から取り出すことにより、カバー部材７０、７１が挿通孔３０、３１から取り外されることになる。そうすると、画像読取装置１は、図１３に示した状態から、図１４に示した状態になる。本実施形態においては、この様に、カバー部材７０、７１を挿通孔３０、３１に挿入して回動させることにより、カバー部材７０、７１が挿通孔３０、３１に対して着脱自在となる構成を採用している。
【００４５】
そして、図１４に示した状態から止めネジ１８、１９を取り外すことにより、第１、第２の光学系移動ユニット４、５の固定状態が解除され、画像読取装置１を使用可能な状態（即ち、図３に示した状態）とすることができる。
【００４６】
以上より、本実施形態においては、カバー部材７０、７１を図１０（又は、図１１）に示した矢印の方向に回動すると、当該カバー部材７０、７１の回動に連動して止めネジ１８、１９が回動し、カバー部材７０と止めネジ１８、及び、カバー部材７１と止めネジ１９が、各々、一体となって移動するため、簡単な構成で、第１、第２の光学系移動ユニット４、５に取り付けられた止めネジ１８、１９を取り外すことが可能になる。
【００４７】
ここで、上述のごとく、外装カバー２、及び内部筐体７の各々に形成された挿通孔３０〜３３は、第１、第２の光学系移動ユニット４、５の移動方向と略平行となるように形成されているため、図３に示した状態で画像読取装置１を使用すると、上記挿通孔３０〜３３を経由して、外部からゴミや埃等が内部筐体７内に入りやすくなってしまう。
【００４８】
そこで、本実施形態においては、図１５に示す様に、図３に示した状態において、カバー部材７０、７１を挿通孔３０、３１に対して、上述の方法により、再度，装着する構成としている。従って、この構成によれば、止めネジ１８、１９を取り外して第１、第２の光学系移動ユニット４、５の固定状態を解除し、画像読取装置１を使用する場合においても、カバー部材７０、７１が挿通孔３０、３１に対して装着されることにより、カバー部材７０、７１が挿通孔３０、３１を塞ぐ構成としているため、ゴミや埃等が外装カバー２内や内部筐体７内に入るのを完全に防止することができ、第１、第２の光学移動ユニット４、５が備える第１、第２、及び第３ミラー４３，５１、５２に対する当該ゴミや埃等の付着を防止することが可能になるため、結果として、画像の劣化を確実に防止することができるようになる。
【００４９】
又、本実施形態においては、カバー部材７０、７１を、挿通孔３０、３１に対して着脱自在に設ける構成としているため、第１、第２の光学系移動ユニット４、５を装置本体１ａに固定し、画像読取装置１を輸送する場合、及び、第１、第２の光学系移動ユニット４、５の固定状態を解除し、画像読取装置１を使用する場合のいずれにおいても、ゴミや埃等が外装カバー２内や内部筐体７内へ侵入するのを完全に防止することができる。
【００５０】
更に、本実施形態においては、カバー部材７０、７１を挿通孔３０、３１に挿入して回動させることにより、カバー部材７０、７１が着脱自在となるため、簡単な構成で、ゴミや埃等が外装カバー２内や内部筐体７内へ侵入するのを完全に防止することができる。  
【００５１】
次に、本発明の画像読取装置における第２の実施形態について、図面を参照しながら詳述する。図１６〜図１８は、本実施形態におけるカバー部材７２、７３の構成を説明するための図であり、図１６は、カバー部材７２、７３の正面図、図１７は、図１６に示すカバー部材７２、７３のＣ−Ｃ断面図、図１８は、図１６に示すカバー部材７２、７３のＤ−Ｄ断面図である。
【００５２】
本実施形態のカバー部材７２、７３は、第１の実施形態で説明したカバー部材７０、７１（図８参照）において、カバー部材本体７０ａ、７１ａに回動自在に支持された回動部材７２ａ、７３ａを更に設けた点以外は上述の第１の実施形態と全く同様の構成となっている。従って、その他の作用及び構成に関しては、上述の第１の実施形態と同一であるため、同一の部材については同一の符号を付し、ここではその詳細な説明は省略する。又、本実施形態における画像読取装置の全体構成、駆動機構、光学上の構成、光学系移動ユニットの固定構造、及び、カバー部材の着脱機構についても、上述の第１の実施形態と同一であるため、ここではその詳しい説明を省略する。
【００５３】
図１６〜図１８に示す様に、カバー部材本体７０ａ、７１ａは、上述の回動部材７２ａ、７３ａと、本体部材７２ｂ、７３ｂにより構成されており、略円形の回動部材７２ａ、７３ａの外周面に沿って形成された突出部７２ｅ、７３ｅが、当該突出部７２ｅ、７３ｅに対応して本体部材７２ｂ、７３ｂに形成された溝部７２ｄ、７３ｄに挿入された状態で、カバー部材本体７０ａ、７１ａ（より具体的には、本体部材７２ｂ、７３ｂ）に対して回動部材７２ａ、７３ａが各々回動自在に支持されている。又、回動部材７２ａ、７３ａには、上述の第１の実施形態において説明した突出部７０ｃ、７１ｃが形成されているとともに、その表面には、回転用の溝部（即ち、スリワリ）７２ｃ、７３ｃが形成されている。尚、本実施形態においては、回動部材７２ａ、７３ａに突出部７２ｅ、７３ｅを形成するとともに、当該突出部７２ｅ、７３ｅに対応して本体部材７２ｂ、７３ｂに溝部７２ｄ、７３ｄを形成する構成としたが、回動部材７２ａ、７３ａに溝部７２ｄ、７３ｄを形成するとともに、本体部材７２ｂ、７３ｂに突出部７２ｅ、７３ｅを形成する構成としても良い。
【００５４】
次に、止めネジ１８、１９の取り外し機構についての説明を行う。図１９、図２０は、本発明の第２の実施形態に係る画像読取装置おける止めネジの取り外し機構を説明するための縦断面図であり、図１９、図２０は、各々、上述の第１の実施形態における図１２、図１３に対応する図である。
【００５５】
即ち、図１９は、本実施形態において、カバー部材７２、７３が挿通孔３０、３１に対して装着された状態から、カバー部材７２、７３を矢印Ｙ（図６参照）の方向に押圧し、止めネジ１８、１９に形成された回転用の溝部１８ｂ、１９ｂに、回動部材７２ａ、７３ａに形成された突出部７０ｃ、７１ｃが嵌合した状態を表すものである。
【００５６】
次に、この状態で、回動部材７２ａ、７３ａに形成された回転用の溝部７２ｃ、７３ｃにドライバー等の回動用工具を挿入し、当該回動用工具を図１６に示した矢印の方向に回動させると、カバー部材７２、７３において、各々、回動部材７２ａ、７３ａのみが図１６に示した矢印の方向に回動するとともに、当該回動部材７２ａ、７３ａの回動に連動して止めネジ１８、１９が回動し、カバー部材７２と止めネジ１８、及び、カバー部材７３と止めネジ１９が、各々、図１９に示したＺ方向に一体となって移動し、最終的には、図２０に示す状態になる。この場合、カバー部材７２、７３は、図１３において説明したカバー部材７０、７１と同じ状態（即ち、つば部７０ｂ、７１ｂと突起部３０ａ、３１ａが係合し、挿通孔３０、３１に対して装着された状態）となっている。
【００５７】
次に、装着したカバー部材７２、７３を挿通孔３０、３１から取り外す必要があるが、この場合、上述の第１の実施形態において説明した操作と全く同様の操作を行えば良い。
即ち、カバー部材の着脱機構については、上述の第１の実施形態と全く同一であるため、ここではその詳しい説明を省略する。
【００５８】
そして、カバー部材７２、７３を取り外した後、止めネジ１８、１９を取り外すことにより、第１、第２の光学系移動ユニット４、５の固定状態が解除され、画像読取装置１を使用可能な状態（即ち、図３に示した状態）とすることができる。
【００５９】
以上より、本実施形態においては、カバー部材７２、７３において、各々、回動部材７２ａ、７３ａのみが所定の方向に回動するとともに、当該回動部材７２ａ、７３ａの回動に連動して止めネジ１８、１９が回動し、カバー部材７２と止めネジ１８、及び、カバー部材７３と止めネジ１９が、各々、一体となって移動する構成としているため、簡単な構成で、第１、第２の光学系移動ユニット４、５に取り付けられた止めネジ１８、１９を取り外すことが可能になるとともに、止めネジ１８、１９を取り外す際に、カバー部材７２、７３の全体が回動するのを回避することができ、結果として、カバー部材７２と止めネジ１８、及び、カバー部材７３と止めネジ１９が、各々、一体となって移動している途中において、カバー部材７２、７３が、挿通孔１８、１９から不用意に取り外されてしまうという不都合を防止することができる。
【００６０】
又、第１の実施形態において説明した様に、外装カバー２、及び内部筐体７の各々に形成された挿通孔３０〜３３は、第１、第２の光学系移動ユニット４、５の移動方向と略平行となるように形成されているため、図３に示した状態で画像読取装置１を使用すると、上記挿通孔３０〜３３を経由して、外部からゴミや埃等が内部筐体７内に入りやすくなってしまうため、本実施形態においても、図２１に示す様に、図３に示した状態において、カバー部材７２、７３を挿通孔３０、３１に対して、上述の方法により、再度、装着する構成としている。
【００６１】
従って、この構成によれば、第１、第２の光学系移動ユニット４、５の固定状態を解除し、画像読取装置１を使用する場合においても、カバー部材７２、７３が挿通孔３０、３１に対して装着されることにより、カバー部材７２、７３が挿通孔３０、３１を塞ぐ構成としているため、ゴミや埃等が外装カバー２内や内部筐体７内に入るのを完全に防止することができ、第１、第２の光学系移動ユニット４、５が備える第１、第２、及び第３ミラー４３，５１、５２に対する当該ゴミや埃等の付着を防止することが可能になるため、結果として、画像の劣化を確実に防止することができるようになる。
【００６２】
又、本実施形態においては、カバー部材７２、７３を、挿通孔３０、３１に対して着脱自在に設ける構成としているため、第１、第２の光学系移動ユニット４、５を装置本体１ａに固定し、画像読取装置１を輸送する場合、及び、第１、第２の光学系移動ユニット４、５の固定状態を解除し、画像読取装置１を使用する場合のいずれにおいても、ゴミや埃等が外装カバー２内や内部筐体７内へ侵入するのを完全に防止することができる。
【００６３】
更に、本実施形態においては、カバー部材７２、７３を挿通孔３０、３１に挿入して回動させることにより、カバー部材７０、７１が着脱自在となるため、簡単な構成で、ゴミや埃等が外装カバー２内や内部筐体７内へ侵入するのを完全に防止することができる。  
【００６４】
尚、本発明は、上記実施形態に限定されるものではなく、本発明の趣旨に基づいて各部の構造、形状等を適宜変更することが可能であり、それらを本発明の範囲から除外するものではない。
【００６５】
例えば、図２２〜図２４に示す様に、上述の第２の実施形態におけるカバー部材７２、７３の本体部材７２ｂ、７３ｂに、複数の突起部７４ａ、７５ａを設けたカバー部材７４、７５を用いる構成としても良い。尚、図２２は、カバー部材７４、７５の正面図、図２３は、図２２に示すカバー部材７４、７５のＥ−Ｅ断面図、図２４は、図２２に示すカバー部材７４、７５のＦ−Ｆ断面図である。
【００６６】
即ち、本変形例のカバー部材７４、７５は、第２の実施形態で説明したカバー部材７２、７３（図１６〜図１８参照）において、複数の突起部７４ａ、７５ａを更に設けた点以外は上述の第２の実施形態と全く同様の構成となっている。従って、その他の作用及び構成に関しては、上述の第２の実施形態と同一であるため、同一の部材については同一の符号を付し、ここではその詳細な説明は省略する。又、本実施形態における画像読取装置の全体構成、駆動機構、光学上の構成、光学系移動ユニットの固定構造、カバー部材の着脱機構、及び、カバー部材の回動機構についても、上述の第２の実施形態と同一であるため、ここではその詳しい説明を省略する。
【００６７】
又、図２５、図２６は、本変形例に係る画像読取装置おける止めネジの取り外し機構を説明するための縦断面図であり、図２５、図２６は、各々、上述の第２の実施形態における図１９、図２０に対応する図である。ここで、止めネジ１８、１９の取り外し機構についても、上述の第２の実施形態の場合と同様であるため、ここでは、その詳しい説明を省略するが、本変形例においては、上述のごとく、複数の突起部７４ａ、７５ａを更に設ける構成としているため、カバー部材７４、７５が挿通孔３０、３１に対して装着された状態から、当該カバー部材７４、７５を矢印Ｙ（図６参照）の方向に押圧し、止めネジ１８、１９に形成された回転用の溝部１８ｂ、１９ｂに、回動部材７２ａ、７３ａに形成された突出部７０ｃ、７１ｃを嵌合する際に、カバー部材７４、７５の矢印Ｙ方向への移動が規制され、カバー部材７４、７５の傾きやガタツキを防止することができるため、上述の第２の実施形態において説明した効果に加えて、回転用の溝部１８ｂ、１９ｂに突出部７０ｃ、７１ｃを確実に嵌合させることが可能になるとともに、カバー部材７４、７５の装着状態が不用意に解除される（即ち、カバー部材７４、７５が挿通孔３０、３１から不用意に取り外されてしまう）のを有効に防止することが可能になる。
【００６８】
又、本変形例においても、図２７に示す様に、図３に示した状態において、カバー部材７４、７５を挿通孔３０、３１に対して、上述の方法により、再度，装着する構成としているため、上述の第１、第２の実施形態において説明した効果と全く同様の効果を得ることが可能になる。
【産業上の利用可能性】
【００６９】
本発明の活用例としては、スキャナとして単体で用いられたり、複写機やファクシミリ等に搭載されたりして、原稿の画像を読み取る画像読取装置が挙げられる。
【図面の簡単な説明】
【００７０】
【図１】は、本発明の第１の実施形態に係る画像読取装置の駆動機構を示す縦断面図である。
【図２】は、本発明の第１の実施形態に係る画像読取装置の光学上の構成を示す縦断面図である。
【図３】は、本発明の第１の実施形態に係る画像読取装置の固定機構を示す縦断面図である。
【図４】は、本発明の第１の実施形態に係る画像読取装置の固定機構を示す縦断面図である。
【図５】は、本発明の第１の実施形態に係る画像読取装置におけるカバー部材を取り付ける際の状態を示す縦断面図である。
【図６】は、本発明の第１の実施形態に係る画像読取装置におけるカバー部材を取り付けた状態を示す縦断面図である。
【図７】は、本発明の第１の実施形態に係る画像読取装置におけるカバー部材の外観構成を示す斜視図である。
【図８】は、本発明の第１の実施形態に係る画像形成装置におけるカバー部材の正面図である。
【図９】は、本発明の第１の実施形態に係る画像形成装置における外装カバーに形成された挿通孔の形状を説明するための概略図である。
【図１０】は、本発明の第１の実施形態に係る画像形成装置におけるカバー部材を挿通孔に挿入した状態を示す図である。
【図１１】は、本発明の第１の実施形態に係る画像形成装置におけるカバー部材が挿通孔に装着された状態を示す図である。
【図１２】は、本発明の第１の実施形態に係る画像形成装置における止めネジの取り外し機構を説明するための縦断面図である。
【図１３】は、本発明の第１の実施形態に係る画像形成装置における止めネジの取り外し機構を説明するための縦断面図である。
【図１４】は、本発明の第１の実施形態に係る画像形成装置における止めネジの取り外し機構を説明するための縦断面図である。
【図１５】は、本発明の第１の実施形態に係る画像形成装置における第１、第２の光学系移動ユニットの固定状態を解除し、画像読取装置を使用可能な状態にした場合において、カバー部材を、再度、装着した状態を示す縦断面図である。
【図１６】は、本発明の第２の実施形態に係る画像形成装置におけるカバー部材の正面図である。
【図１７】は、図１６に示すカバー部材のＣ−Ｃ断面図である。
【図１８】は、図１６に示すカバー部材のＤ−Ｄ断面図である。
【図１９】は、本発明の第２の実施形態に係る画像形成装置における止めネジの取り外し機構を説明するための縦断面図である。
【図２０】は、本発明の第２の実施形態に係る画像形成装置における止めネジの取り外し機構を説明するための縦断面図である。
【図２１】は、本発明の第２の実施形態に係る画像形成装置における第１、第２の光学系移動ユニットの固定状態を解除し、画像読取装置を使用可能な状態にした場合において、カバー部材を、再度、装着した状態を示す縦断面図である。
【図２２】は、本発明の第２の実施形態に係る画像形成装置におけるカバー部材の変形例を示す正面図である。
【図２３】は、図２２に示すカバー部材のＥ−Ｅ断面図である。
【図２４】は、図２３に示すカバー部材のＦ−Ｆ断面図である。
【図２５】は、本発明の第２の実施形態に係る画像形成装置の変形例における止めネジの取り外し機構を説明するための縦断面図である。
【図２６】は、本発明の第２の実施形態に係る画像形成装置の変形例における止めネジの取り外し機構を説明するための縦断面図である。
【図２７】は、本発明の第２の実施形態に係る画像形成装置の変形例における第１、第２の光学系移動ユニットの固定状態を解除し、画像読取装置を使用可能な状態にした場合において、カバー部材を、再度、装着した状態を示す縦断面図である。
【符号の説明】
【００７１】
１    画像読取装置
１ａ  画像読取装置本体
２    外装カバー
４    第１の光学系移動ユニット
５    第２の光学系移動ユニット
７    内部筐体
１８、１９    止めネジ
１８ｂ、１９ｂ    回転用の溝部
３０、３１    挿通孔
３２、３３    挿通孔
４０    第１の光学系移動枠体
４２    ネジ孔
５０    第２の光学系移動枠体
５２    ネジ孔
７０、７１    カバー部材
７０ｃ、７１ｃ    突出部
７２、７３    カバー部材
７２ａ、７３ａ    回動部材
７２ｃ、７３ｃ    回転用の溝部
７４、７５    カバー部材
７４ａ、７５ａ    突起部
【図１】
2005123881.tif 000003
【図２】
2005123881.tif 000004
【図３】
2005123881.tif 000005
【図４】
2005123881.tif 000006
【図５】
2005123881.tif 000007
【図６】
2005123881.tif 000008
【図７】
2005123881.tif 000009
【図８】
2005123881.tif 000010
【図９】
2005123881.tif 000011
【図１０】
2005123881.tif 000012
【図１１】
2005123881.tif 000013
【図１２】
2005123881.tif 000014
【図１３】
2005123881.tif 000015
【図１４】
2005123881.tif 000016
【図１５】
2005123881.tif 000017
【図１６】
2005123881.tif 000018
【図１７】
2005123881.tif 000019
【図１８】
2005123881.tif 000020
【図１９】
2005123881.tif 000021
【図２０】
2005123881.tif 000022
【図２１】
2005123881.tif 000023
【図２２】
2005123881.tif 000024
【図２３】
2005123881.tif 000025
【図２４】
2005123881.tif 000026
【図２５】
2005123881.tif 000027
【図２６】
2005123881.tif 000028
【図２７】
2005123881.tif 000029